(57)【要約】【課題】ワッフルスラブの、ワッフルパネル上面へのスラブ鉄筋の配筋作業効率を大幅に高めるようにした。【解決手段】  直線状上部鉄筋１３が未結合の状態で、第１のスラブ鉄筋１０をワッフルパネルＰの第１の凹溝３に配筋し、第２のスラブ鉄筋２０を、ワッフルパネルＰの第２の凹溝４に配筋して、両スラブ鉄筋１０，２０を結束７し、第１のスラブ鉄筋１０の、波状鉄筋１１の複数の山部１１ｍに、上部鉄筋１３を串通して、複数の山部１１ｍに結束１５する。【選択図】    図５
2014148849.tif 000002
【特許請求の範囲】
【請求項１】
上面に、縦横に延びる多数の第１の凹溝（３）および第２の凹溝（４）と、それらの凹溝（３，４）により囲まれる多数のリブ（２）を有して上面格子状に形成されるワッフルパネル（Ｐ）に配筋される、建物におけるワッフルスラブのスラブ鉄筋組立構造であって、
前記第１および第２の凹溝（３，４）内にそれぞれ配筋される第１および第２のスラブ鉄筋（１０，２０）を備え、
前記第１のスラブ鉄筋（１０）は、波状に屈曲形成される波状鉄筋（１１）と、その波状鉄筋（１１）の複数の谷部（１１ｖ）に亘って一体に結合（１４）される直線状下部鉄筋（１２）と、前記波状鉄筋（１１）の長手方向からその複数の山部（１１ｍ）に串通されてそれらの山部（１１ｍ）に結束（１５）される直線状上部鉄筋（１３）とよりなり、
また、前記第２のスラブ鉄筋（２０）は、波状に屈曲形成される波状鉄筋（２１）と、その波状鉄筋（２１）の複数の谷部（２１ｖ）および山部（２１ｍ）にそれぞれ一体に結合（２４，２５）される、直線状下部鉄筋（２２）および直線状上部鉄筋（２３）とよりなり、
前記第１のスラブ鉄筋（１０）は、その直線状上部鉄筋（１３）が未結束の状態で、前記ワッフルパネル（Ｐ）の第１の凹溝（３）内に配筋されたのち、前記第２のスラブ鉄筋（２０）は、前記第２の凹溝（４）内に配筋され、第１のスラブ鉄筋（１０）の未結束の直線状上部鉄筋（１３）は、該第１のスラブ鉄筋（１０）の山部（１１ｍ）に串通されて、該山部（１１ｍ）に結束（１５）されることを特徴とする、建物におけるワッフルスラブのスラブ鉄筋組立構造。
【請求項２】
前記請求項１記載の建物におけるワッフルスラブのスラブ鉄筋組立構造の組立方法であって、
前記第１のスラブ鉄筋（１０）を、前記直線状上部鉄筋（１３）が未結合の状態で、前記ワッフルパネル（Ｐ）の前記第１の凹溝（３）に配筋する第１工程と、
前記第２のスラブ鉄筋（２０）を、前記ワッフルパネル（Ｐ）の前記第２の凹溝（４）に配筋して、前記第１、第２のスラブ鉄筋（１０，２０）を結束（７）する第２工程と、
前記上部鉄筋（１３）が未結合の前記第１のスラブ鉄筋（１０）の、波状鉄筋（１１）の複数の山部（１１ｍ）に、その上部鉄筋（１３）をその長手方向から串通して、複数の山部（１１ｍ）にそれぞれ結束（１５）する第３工程とよりなることを特徴とする、建物におけるワッフルスラブのスラブ鉄筋組立構造の組立方法。
【請求項３】
前記ワッフルパネル（Ｐ）の、前記第１の凹溝（３）と前記第２の凹溝（４）の交差部（５）において、前記第１のスラブ鉄筋（１０）と前記第２のスラブ鉄筋（２０）とが、結束（７）されることを特徴とする、前記請求項２記載の建物におけるワッフルスラブのスラブ鉄筋組立構造の組立方法。
【発明の詳細な説明】
【技術分野】
【０００１】
本発明は、鉄筋コンクリート構造などの建物におけるワッフルスラブのスラブ鉄筋組立構造およびその組立方法に関する。
【背景技術】
【０００２】
従来、鉄筋コンクリート構造などの建物において、上面が格子状に形成されるワッフルパネルの縦横の凹溝内にスラブ鉄筋を配筋し、そのワッフルパネル上にコンクリートを打設して構成される「ワッフルスラブ」は、既に公知である（後記特許文献１参照）。
【先行技術文献】
【特許文献】
【０００３】
特開２００６−２１４２１２号公報
【発明の概要】
【発明が解決しようとする課題】
【０００４】
ところで、前記「ワッフルスラブ」では、ワッフルパネルの格子状の上面に形成される縦横の凹溝内にスラブ鉄筋を配筋する作業、特に、ワッフルパネルの上面は、縦横に多数のリブを有して格子状に形成されることから、複数の十字状の交差部において、それらのスラブ鉄筋の配筋作業が面倒であって、その配筋作業効率が低く、これが「ワッフルスラブ」のコスト増を招く要因になるという問題がある。
【０００５】
本発明は、かかる実情に鑑みてなされたもので、ワッフルパネル上に配筋されるスラブ鉄筋の配筋作業効率を大幅に高めるようにして、前記問題を解決できるようにした、新規な建物におけるワッフルスラブのスラブ鉄筋組立構造およびその組立方法を提供することを目的とする。
【課題を解決するための手段】
【０００６】
上記目的を達成するため、請求項１記載の発明は、上面に、縦横に延びる多数の第１の凹溝および第２の凹溝と、それらの凹溝により囲まれる多数のリブを有して上面格子状に形成されるワッフルパネルに配筋される、建物におけるワッフルスラブのスラブ鉄筋組立構造であって、
前記第１および第２の凹溝内にそれぞれ配筋される第１および第２のスラブ鉄筋を備え、前記第１のスラブ鉄筋は、波状に屈曲形成される波状鉄筋と、その波状鉄筋の複数の谷部に亘って一体に結合される直線状下部鉄筋と、前記波状鉄筋の長手方向からその複数の山部に串通されてそれらの山部に結束される直線状上部鉄筋とよりなり、また、前記第２のスラブ鉄筋は、波状に屈曲形成される波状鉄筋と、その波状鉄筋の複数の谷部および山部にそれぞれ一体に結合される、直線状下部鉄筋および直線状上部鉄筋とよりなり、
前記第１のスラブ鉄筋は、その直線状上部鉄筋が未結束の状態で、前記ワッフルパネルの第１の凹溝内に配筋されたのち、前記第２のスラブ鉄筋は、前記第２の凹溝内に配筋され、第１のスラブ鉄筋の未結束の直線状上部鉄筋は、該第１のスラブ鉄筋の山部に串通されて、該山部に結束されることを特徴としている。
【０００７】
上記目的を達成するため、請求項２記載の発明は、前記請求項１記載の建物におけるワッフルスラブのスラブ鉄筋組立構造の組立方法であって、
前記第１のスラブ鉄筋を、前記直線状上部鉄筋が未結合の状態で、前記ワッフルパネルの前記第１の凹溝に配筋する第１工程と、
前記第２のスラブ鉄筋を、前記ワッフルパネルの前記第２の凹溝に配筋して、前記第１、第２のスラブ鉄筋を結束する第２工程と、
前記上部鉄筋が未結合の前記第１のスラブ鉄筋の、波状鉄筋の複数の山部に、その上部鉄筋をその長手方向から串通して、複数の山部にそれぞれ結束する第３工程とよりなることを特徴としている。
【０００８】
上記目的を達成するため、請求項３記載の発明は、前記請求項２記載の組立方法において、前記ワッフルパネルの、前記第１の凹溝と前記第２の凹溝の交差部において、前記第１のスラブ鉄筋と前記第２スラブ鉄筋とが、結束されることを特徴としている。
【発明の効果】
【０００９】
請求項各項記載の発明によれば、ワッフルパネル上に配筋されるスラブ鉄筋を、第１のスラブ鉄筋と、第２のスラブ鉄筋とより構成して、それらのスラブ鉄筋を、ワッフルパネルの第１の凹溝と第２の凹溝内に、熟練を要しない作業員でもきわめて簡単、容易に配筋して、スラブ鉄筋のワッフルパネルへの配筋作業能率を大幅に高めて工期短縮が可能になり、ワッフルスラブのコストダウンを達成してその受注増を図ることができる。
【図面の簡単な説明】
【００１０】
【図１】ワッフルスラブの斜視図
【図２】図１の２−２線に沿う拡大断面図
【図３】図１の３線矢視拡大図
【図４】図３の４−４線断面図
【図５】図３の５線矢視図
【図６】図５の６−６線に沿う拡大断面図
【図７】図５の７−７線に沿う拡大断面図
【図８】ワッフルパネルの第１の凹溝に、上部鉄筋を除いた第１のスラブ鉄筋を配筋した状態を示す斜視図
【図９】ワッフルパネルの第２の凹溝に、第２のスラブ鉄筋を配筋した状態を示す斜視図
【図１０】第１のスラブ鉄筋の山部に、上部鉄筋を串通した状態を示す斜視図
【図１１】ワッフルスラブの組立手順を示す図
【発明を実施するための形態】
【００１１】
以下、本発明の実施の形態を、添付図面を参照して具体的に説明する。
【００１２】
図１、２に示すように、建物のコンクリート躯体の水平躯体部分を構成するワッフルスラブＳは、断熱パネルよりなるワッフルパネルＰと、このワッフルパネルＰ上に配筋されるスラブ鉄筋Ｒと、ワッフルパネルＰ上に打設されるコンクリートＣとより構成される。
【００１３】
前記ワッフルパネルＰは、所定寸法にモジュール化された複数のパネルユニットＰｕ…を一平面上に縦横に一体に接続して構成される。各パネルユニットＰｕは断熱材、たとえばポリスチレンなどの合成樹脂材により一体に成形される。
【００１４】
図３，４に最も明瞭に示すように、各パネルユニットＰｕは、長方形の基板１と、この基板１のフラットな上面に一体に格子状に立設される複数の四角柱状の小梁、すなわち複数のリブ２…とを備えており、これらのリブ２は、縦横に交叉する複数の第１の凹溝３…および第２の凹溝４…によって囲まれており、第１の凹溝３…と第２の凹溝４…との十字状交差部５…は、相隣り合う４つのリブ２…によりそれぞれ囲まれる。
【００１５】
モジュール化されたパネルユニットＰｕは、それらの複数枚を一平面上に並べ、それらの接続端縁同士を適宜の緊結具（図示せず）により一体に接続してワッフルパネルＰが形成される。
【００１６】
前記ワッフルパネルＰ上には、スラブ鉄筋Ｒが配筋される。このスラブ鉄筋Ｒは、前記第１の凹溝３…にそれぞれ配筋される第１のスラブ鉄筋１０と、前記第２の凹溝４…にそれぞれ配筋される第２のスラブ鉄筋２０とより構成される。
【００１７】
次に、主に５〜７を参照して、第１のスラブ鉄筋１０と、第２のスラブ鉄筋２０の構造について説明する。
【００１８】
第１のスラブ鉄筋１０は、前記第１の凹溝３に沿って配筋されるように、該第１の凹溝３に沿って長いトラス形状に形成されており、波状に屈曲形成される波状鉄筋１１、直状の下部鉄筋１２および直状の上部鉄筋１３とより構成され、直状の下部鉄筋１２は、波状鉄筋１１の複数の谷部１１ｖ…に串通されて、それらの谷部１１ｖ…に溶接などにより一体に結合１４され、また、直状の上部鉄筋１３は、後述する第２のスラブ鉄筋２０が配筋された後に、波状鉄筋１１の複数の山部１１ｍ…に、その長手方向から串通されて、それらの山部１１ｍ…に、結束線により一体に結束１５される。
【００１９】
一方、第２のスラブ鉄筋２０は、前記第２の凹溝４に沿って配筋されるように、該第２の凹溝４に沿って長いトラス形状に形成されており、波状に屈曲形成される波状鉄筋２１、直状の下部鉄筋２２および直状の上部鉄筋２３とより構成され、直状の下部鉄筋２２は、波状鉄筋２１の複数の谷部２１ｖ…に串通されて、それらの谷部２１ｖ…に溶接などにより一体に結合２４され、また、直状の上部鉄筋２３も波状鉄筋２１の複数の山部２１ｍ…に串通されて、それらの山部２１ｍ…に溶接などにより一体に結合２５される。
【００２０】
次に、ワッフルパネルＰ上に、第１のスラブ鉄筋１０と第２のスラブ鉄筋２０とよりなるスラブ鉄筋Ｒを配筋する過程について説明する。
【００２１】
(1) 先ず、図８に示すように、ワッフルパネルＰ上の第１の凹溝３に、直状の上部鉄筋１３が未だ結束されていない、第１のスラブ鉄筋１０を配筋する。この場合に、第１のスラブ鉄筋１０の波状鉄筋１１の谷部１１ｖ…は、４つのリブ２…により囲まれる、第１の凹溝３と第２の凹溝４の交差部５に位置させる。
【００２２】
(2) 次に、図９に示すように、ワッフルパネルＰの上方から第２の凹溝４に、第２のスラブ鉄筋２０を配筋する。この場合、前記交差部５では、第１のスラブ鉄筋１０の山部１１ｍ間が開放されている（直状の上部鉄筋１３の未だ結束されていないことによる）ことから、第２のスラブ鉄筋２０を、第１のスラブ鉄筋１０の上方から該第１のスラブ鉄筋１０の山部１１ｍ間を通して、第１のスラブ鉄筋１０と干渉することなく配筋することができる。
【００２３】
第２スラブ鉄筋２０の、波状鉄筋２１の谷部２１ｖおよび下部鉄筋２２と、第１スラブ鉄筋１０の、波状鉄筋１１の谷部１１ｖおよび下部鉄筋１２とを結束線により結束７する。
【００２４】
(3) 次に、図１０に示すように、第１のスラブ鉄筋１０の上部鉄筋１３を、その長手方向から、その複数の山部１１ｍ…に串通する。
【００２５】
(4) 次いで、上部鉄筋１３を、第１のスラブ鉄筋１０の波状鉄筋１１の山部１１ｍに結束線により結束１５し、第１のスラブ鉄筋１０の上部鉄筋１３と、第２のスラブ鉄筋２０の上部鉄筋２３との交差部を結束８する（図５参照）。
【００２６】
以上、(1) 〜(4) により、第１のスラブ鉄筋１０と、第２のスラブ鉄筋２０とよりなるスラブ鉄筋ＲはワッフルパネルＰ上に配筋される。
【００２７】
次に、図１１を参照して、前述のように構成される、ワッフルパネルＰを、仮設されるコンクリート型枠Ｆｃに組み込む場合について説明する。
【００２８】
住空間をあけて組み付けられる壁型枠３０は、コンクリート打設空間をあけて対峙される内、外側壁型枠３０ｉ，３０ｏを備えており、そのうち内側壁型枠３０ｉの上縁間には、複数のパネルユニットＰｕよりなるワッフルパネルＰが橋渡されて組み付けられる。また、外側壁型枠３０ｏの上端は、内側壁型枠３０ｉの上縁よりも上方に延びて、打設されるコンクリートＣの堰板を構成する。
【００２９】
図１１（ａ）に示すように、ワッフルパネルＰは、住空間の床面積に合致するように複数のパネルユニットＰｕを一平面上に一体に接続してコンクリート型枠Ｆｃの床スラブ形成部位に組み付けられる。ワッフルパネルＰは、ばた材３２を介して複数のパイプサポート３３により支持される。
【００３０】
次に、図１１（ｂ）に示すように、ワッフルパネルＰの上面に、第１、第２のスラブ鉄筋１０，２０よりなるスラブ鉄筋Ｒが、前述の(1) 〜(4) により配筋される。
【００３１】
ワッフルパネルＰ上へのスラブ鉄筋Ｒの配筋が終了したら、図１１（ｃ）に示すように、ワッフルパネルＰ上にコンクリートＣを打設する。コンクリートＣは、ワッフルパネルＰとスラブ鉄筋Ｒ間に充填され、その上面は、通常の均し作業により平坦に均される。
【００３２】
コンクリートＣが硬化して、その強度と養生とが充分に確認されたら、仮設のコンクリート型枠Ｆｃの解体工事が行なわれる。すなわち、ばた材３２、パイプサポート３３および壁型枠３０が解体撤去されるが、ワッフルパネルＰは、コンクリートＣと一体に結合されたまま、コンクリート床スラブＳの断熱、遮音材として恒久的に使用される。
【００３３】
以上、本発明の実施形態について説明したが、本発明はその実施形態に限定されることなく、本発明の範囲内で種々の実施例が可能である。
【００３４】
たとえば、前記実施形態では、ワッフルパネルの第１の凹溝に第１のスラブ鉄筋を、その第２の凹溝に第２のスラブ鉄筋を配筋しているが、ワッフルパネルの第２の凹溝に第１のスラブ鉄筋を、その第１の凹溝に第２のスラブ鉄筋を配筋してもよいことは勿論である。
【符号の説明】
【００３５】
２・・・・・・・・・・リブ（小梁）
３・・・・・・・・・・第１の凹溝
４・・・・・・・・・・第２の凹溝
５・・・・・・・・・・交差部
７・・・・・・・・・・結束
１０・・・・・・・・・・第１のスラブ鉄筋
１１・・・・・・・・・・波状鉄筋
１１ｖ・・・・・・・・・谷部
１１ｍ・・・・・・・・・山部
１２・・・・・・・・・・下部鉄筋
１３・・・・・・・・・・上部鉄筋
１５・・・・・・・・・・結束
２０・・・・・・・・・・第２のスラブ鉄筋
２１・・・・・・・・・・波状鉄筋
２１ｖ・・・・・・・・・谷部
２１ｍ・・・・・・・・・山部
２２・・・・・・・・・・下部鉄筋
２３・・・・・・・・・・上部鉄筋
２４・・・・・・・・・・結合
２５・・・・・・・・・・結合
Ｐ・・・・・・・・・・ワッフルパネル  
【図１】
2014148849.tif 000003
【図２】
2014148849.tif 000004
【図３】
2014148849.tif 000005
【図４】
2014148849.tif 000006
【図５】
2014148849.tif 000007
【図６】
2014148849.tif 000008
【図７】
2014148849.tif 000009
【図８】
2014148849.tif 000010
【図９】
2014148849.tif 000011
【図１０】
2014148849.tif 000012
【図１１】
2014148849.tif 000013